(57)【特許請求の範囲】
【請求項１】
原稿を搬送し、搬送中の原稿を読み取り、読み取った原稿の画像を用紙に印刷するコピージョブの実行が可能な課金式の画像形成装置であって、
読取台と、
前記読取台上を経由する原稿搬送路を有し、前記原稿搬送路に沿って原稿を搬送する原稿搬送ユニットと、
前記読取台上の原稿を読み取る画像読取部と、
前記画像読取部による原稿の読み取りと並行して前記画像読取部が読み取った原稿画像を用紙に印刷する第１モード、および、前記画像読取部により読み取られた原稿が前記原稿搬送路から排出された後に前記画像読取部が読み取った原稿画像の用紙への印刷を開始する第２モード、のうちいずれかのモードで前記コピージョブを実行する印刷部と、
前記原稿搬送ユニットが原稿を搬送しているときに原稿搬送エラーが発生したか否かを検知し、前記原稿搬送エラーの発生を検知すると、前記原稿搬送ユニットによる原稿の搬送を停止させるエラー発生検知部と、
前記印刷部が印刷を行う毎に原稿のコピー料を課金し、前記エラー発生検知部が前記原稿搬送エラーの発生を検知すると、前記原稿搬送エラーの発生検知時に搬送されていた原稿のコピー料については課金しない課金装置と、を備え、
前記エラー発生検知部は、前記第１モードでの前記コピージョブの実行時に前記原稿搬送エラーの発生を検知したとき、前記原稿搬送エラーが使用者により意図的に生じさせ得るものとして予め定められた特定エラーであるか否かを判断し、
前記印刷部は、前記原稿搬送エラーが前記特定エラーであると前記エラー発生検知部が判断した場合、前記エラー発生検知部が前記原稿搬送エラーの発生を検知して以降に開始する前記コピージョブを前記第２モードで実行することを特徴とする画像形成装置。
【請求項２】
前記原稿搬送ユニットは、前記読取台に対して開閉可能に支持されており、
前記エラー発生検知部は、前記第１モードでの前記コピージョブの実行時に前記原稿搬送ユニットの開閉を検知し、前記原稿搬送ユニットが開状態になったことを検知すると、前記原稿搬送エラーが発生したと認識するとともに、前記原稿搬送エラーが前記特定エラーであると判断することを特徴とする請求項１に記載の画像形成装置。
【請求項３】
前記原稿搬送ユニットは、前記原稿搬送路を露出させるための開閉カバーを含み、
前記エラー発生検知部は、前記第１モードでの前記コピージョブの実行時に前記開閉カバーの開閉を検知し、前記開閉カバーが開状態になったことを検知すると、前記原稿搬送エラーが発生したと認識するとともに、前記原稿搬送エラーが前記特定エラーであると判断することを特徴とする請求項１または２に記載の画像形成装置。
【請求項４】
前記第２モードでの前記コピージョブの実行時に印刷された印刷枚数を検知する印刷枚数検知部を備え、
前記印刷部は、前記印刷枚数検知部が検知した印刷枚数が予め定められた所定枚数に到達するまでは前記第２モードで前記コピージョブを実行し、前記印刷枚数検知部が検知した印刷枚数が前記所定枚数に到達した後に開始する前記コピージョブからは前記第１モードで実行することを特徴とする請求項１〜３のいずれか１項に記載の画像形成装置。
【請求項５】
前記第１モードでの前記コピージョブの実行時に発生した前記原稿搬送エラーが前記特定エラーであると前記エラー発生検知部が判断したとき、前記原稿搬送エラーの発生検知時点からの経過時間を計時する計時部を備え、
前記印刷部は、前記計時部により計時された前記経過時間が予め定められた所定時間に到達するまでは前記第２モードで前記コピージョブを実行し、前記計時部により計時された前記経過時間が前記所定時間に到達した後に開始する前記コピージョブからは前記第１モードで実行することを特徴とする請求項１〜４のいずれか１項に記載の画像形成装置。
【請求項６】
使用者の認証を行うための予め登録された認証情報と使用者が入力した認証情報とを比較して、前記認証情報を入力した使用者が認証可能と判断すれば、前記認証情報を入力した使用者に画像形成装置の使用許可を与える認証部を備え、
前記印刷部は、前記第１モードでの前記コピージョブの実行時に発生した前記原稿搬送エラーが前記特定エラーであると前記エラー発生検知部が判断した後、認証された使用者が代わると、前記第１モードで前記コピージョブを実行することを特徴とする請求項１〜５のいずれか１項に記載の画像形成装置。
【請求項７】
前記認証部は、前記コピージョブの実行時に発生した前記特定エラーの発生頻度を含む使用履歴データを使用者毎に記憶し、
前記印刷部は、前記認証された使用者に対応する前記使用履歴データで示される前記特定エラーの発生頻度が所定値以上である場合、前記第２モードで前記コピージョブを実行することを特徴とする請求項６に記載の画像形成装置。
【発明の詳細な説明】
【技術分野】
【０００１】
本発明は、課金装置を備えた画像形成装置に関する。
【背景技術】
【０００２】
従来から、課金装置を備えた画像形成装置（コピー機）が知られている。このような画像形成装置は、店舗や公共施設などに設置されており、原稿のコピーが行われる毎に、予め定められた原稿のコピー料を使用者に課金する（たとえば、特許文献１参照）。
【０００３】
たとえば、課金装置を備えた画像形成装置には、原稿搬送ユニットを装着する画像読取部や印刷部がコピージョブの実行部として設けられる。コピージョブが実行されると、原稿搬送ユニットは、画像読取部の読取位置に原稿を搬送し、画像読取部は、読取位置を通過する原稿を読み取る。印刷部は、画像読取部により読み取られた原稿画像を用紙に印刷して排出トレイに排出する。そして、課金装置は、印刷部が印刷を行う毎に（印刷済みの用紙が排出トレイに排出される毎に）、使用者に対して原稿のコピー料を課金する。
【先行技術文献】
【特許文献】
【０００４】
【特許文献１】特開２０００−３４７５３３号公報
【発明の概要】
【発明が解決しようとする課題】
【０００５】
たとえば、課金装置を備えた画像形成装置では、画像読取部による原稿の読み取り（原稿搬送ユニットによる原稿の搬送）と並行して、画像読取部が読み取った原稿画像の用紙への印刷を印刷部に行わせる。これにより、コピージョブの開始から終了までの時間が短縮されるため、使用者にとっては利便性が良い。
【０００６】
ここで、原稿搬送ユニットは、原稿の搬送中にジャムなどの原稿搬送エラーが発生すると、原稿の搬送を停止する。このとき、原稿の後端が読取位置を既に通過していた場合には、画像読取部による原稿の読み取りが終わっているので、原稿画像が正常に印刷された用紙が排出トレイに排出される。一方で、原稿の後端が読取位置を通過していなかった場合には、画像読取部による原稿の読み取りが終わっていないので、原稿画像が正常に印刷されていない用紙が排出トレイに排出される。したがって、原稿搬送エラーの発生時に搬送されていた原稿のコピー料を使用者に課金すると、使用者に不利益をもたらす。このため、コピージョブの実行時に原稿搬送エラーが発生した場合には、原稿搬送エラーの発生時に搬送されていた原稿のコピー料については使用者に課金しないようにするのが一般的である。
【０００７】
しかし、使用者によっては、原稿の後端が読取位置を通過したタイミング（画像読取部による原稿の読み取りが終わったタイミング）で原稿搬送エラーを意図的に発生させることにより、課金逃れを図ろうとする場合がある。このような課金逃れを図る不正使用者に画像形成装置が使用され続けると、その間、原稿画像が正常に印刷された用紙が取得されるにもかかわらず原稿のコピー料を徴収することができない。したがって、画像形成装置の設置者（原稿のコピー料を徴収する者）にとっては都合が悪い。
【０００８】
本発明は、上記課題を解決するためになされたものであり、印刷部が印刷を行う毎に原稿のコピー料を課金する構成において、課金逃れが繰り返し行われるのを防ぐことが可能な画像形成装置を提供することを目的とする。
【課題を解決するための手段】
【０００９】
上記目的を達成するため、本発明の画像形成装置は、原稿を搬送し、搬送中の原稿を読み取り、読み取った原稿の画像を用紙に印刷するコピージョブの実行が可能な課金式の画像形成装置であって、読取台と、読取台上を経由する原稿搬送路を有し、原稿搬送路に沿って原稿を搬送する原稿搬送ユニットと、読取台上の原稿を読み取る画像読取部と、画像読取部による原稿の読み取りと並行して画像読取部が読み取った原稿画像を用紙に印刷する第１モード、および、画像読取部により読み取られた原稿が原稿搬送路から排出された後に画像読取部が読み取った原稿画像の用紙への印刷を開始する第２モード、のうちいずれかのモードでコピージョブを実行する印刷部と、原稿搬送ユニットが原稿を搬送しているときに原稿搬送エラーが発生したか否かを検知し、原稿搬送エラーの発生を検知すると、原稿搬送ユニットによる原稿の搬送を停止させるエラー発生検知部と、印刷部が印刷を行う毎に原稿のコピー料を課金し、エラー発生検知部が原稿搬送エラーの発生を検知すると、原稿搬送エラーの発生検知時に搬送されていた原稿のコピー料については課金しない課金装置と、を備える。そして、エラー発生検知部は、第１モードでのコピージョブの実行時に原稿搬送エラーの発生を検知したとき、原稿搬送エラーが使用者により意図的に生じさせ得るものとして予め定められた特定エラーであるか否かを判断し、印刷部は、原稿搬送エラーが特定エラーであるとエラー発生検知部が判断した場合、エラー発生検知部が原稿搬送エラーの発生を検知して以降に開始するコピージョブを第２モードで実行する。
【００１０】
コピージョブのジョブモードが第１モードである場合、画像読取部による原稿の読み取りと並行して画像読取部が読み取った原稿画像が用紙に印刷される。このため、画像読取部による原稿の読み取りが終わったタイミングで原稿搬送エラーが発生すると、原稿画像の用紙への印刷が正常に行われるにもかかわらず、原稿のコピー料は課金されない。したがって、第１モードでのコピージョブの実行時に発生した原稿搬送エラーが特定エラー（使用者によって意図的に生じさせ得るものとして予め定められたエラー）であると、その原稿搬送エラーが課金逃れを図る不正使用者によって意図的に発生されられた可能性がある。
【００１１】
一方で、コピージョブのジョブモードが第２モードである場合には、画像読取部により読み取られた原稿が原稿搬送路から排出された後に画像読取部が読み取った原稿画像の用紙への印刷が開始される。この第２モードでは第１モードに比べて、コピージョブの開始から終了までにかかる時間が長くなってしまう。しかし、課金逃れを図る不正使用者によって原稿搬送エラーが意図的に発生させられたとしても、原稿搬送エラーの発生時に搬送されていた原稿画像の用紙への印刷は開始していないので、課金逃れを防げる。
【００１２】
そこで、本発明では、第１モードでのコピージョブの実行時に原稿搬送エラーが発生した場合、その原稿搬送エラーが特定エラー（使用者により意図的に生じさせ得るものとして予め定められたエラー）であれば、以降に開始するコピージョブを第２モードで実行する。これにより、課金逃れが連続して繰り返し行われるのを防ぐことができる。
【発明の効果】
【００１３】
本発明では、印刷部が印刷を行う毎に原稿のコピー料を課金する構成において、課金逃れが連続して繰り返し行われるのを防ぐことができる。
【図面の簡単な説明】
【００１４】
【図１】本発明の一実施形態による画像形成装置の概略図
【図２】図１に示した画像形成装置に備えられる画像読取部（原稿搬送ユニット）の概略図
【図３】図１に示した画像形成装置のハードウェア構成を説明するためのブロック図
【図４】図１に示した画像形成装置（画像読取部）のハードウェア構成を説明するためのブロック図
【図５】図１に示した画像形成装置においてコピージョブのジョブモードを第１モードから第２モードに設定変更する場合の制御の流れを説明するためのフローチャート
【図６】図１に示した画像形成装置においてコピージョブのジョブモードを第１モードに復帰させる場合の制御の流れを説明するためのフローチャート
【図７】図１に示した画像形成装置においてコピージョブのジョブモードを第１モードに復帰させる場合の制御の流れを説明するためのフローチャート
【図８】図１に示した画像形成装置においてコピージョブのジョブモードを第１モードに復帰させる場合の制御の流れを説明するためのフローチャート
【発明を実施するための形態】
【００１５】
（画像形成装置の全体構成）
図１に示すように、本実施形態の画像形成装置１００は、原稿搬送ユニット１が装着された画像読取部２と、印刷部３（給紙部４、用紙搬送部５、画像形成部６および定着部７）と、操作パネル８とを備える。
【００１６】
原稿搬送ユニット１が装着された画像読取部２は、図２に示すように、搬送読取用のコンタクトガラス２０ａおよび載置読取用のコンタクトガラス２０ｂが嵌め込まれた読取台２０を有する。そして、画像読取部２は、コンタクトガラス２０ａ上を通過する原稿Ｄを読み取る搬送読取およびコンタクトガラス２０ｂ上に載置された原稿Ｄを読み取る載置読取の実行が可能になっている。
【００１７】
原稿搬送ユニット１は、読取台２０に開閉可能（回動可能）に支持される。そして、コンタクトガラス２０ａ上への原稿Ｄの搬送は、原稿搬送ユニット１が行う。具体的には、原稿搬送ユニット１は、原稿セットトレイ１１、原稿排出トレイ１２、給紙部１３および原稿搬送部１４を含む。また、原稿搬送ユニット１には、原稿Ｄを搬送するための原稿搬送路１０が設けられている。
【００１８】
原稿セットトレイ１１は、原稿Ｄがセットされるトレイであり、原稿搬送路１０の一端側に配置される。原稿排出トレイ１２は、読み取りの終わった原稿Ｄが排出されるトレイであり、原稿搬送路１０の他端側に配置される。搬送読取時には、原稿セットトレイ１１にセットされた原稿Ｄが原稿搬送路１０に供給されるとともに、原稿搬送路１０に沿って搬送され、最終的に原稿排出トレイ１２に排出される。ここで、搬送読取時の読取位置ＲＰ（コンタクトガラス２０ａ上の位置）は、原稿搬送路１０に沿って搬送される原稿Ｄの搬送経路の途中の位置とされている。すなわち、原稿搬送路１０に沿って原稿Ｄが搬送されると、原稿Ｄがコンタクトガラス２０ａ上を通過する。これにより、画像読取部２によって原稿Ｄの一方面（原稿セットトレイ１１への原稿Ｄのセット時に上方に向けられた面）が読み取られる。
【００１９】
給紙部１３は、原稿搬送路１０の最も上流側に設けられている。この給紙部１３は、ピックアップローラー１３ａ、給紙ベルト１３ｂおよび分離ローラー１３ｃを含む。ピックアップローラー１３ａは、原稿セットトレイ１１にセットされた原稿Ｄと当接した状態で回転する。これにより、原稿セットトレイ１１から原稿Ｄが引き出され、給紙ニップに進入する。給紙ベルト１３ｂは、駆動ローラー１３ｄと従動ローラー１３ｅとによって張架され、分離ローラー１３ｃとの間で給紙ニップを形成する。そして、給紙ベルト１３ｂは、駆動ローラー１３ｄが回転することで周回し、給紙ニップに進入した原稿Ｄを原稿搬送路１０に供給する。分離ローラー１３ｃは、原稿搬送方向と逆方向に原稿Ｄが進行するよう回転する。このため、原稿セットトレイ１１から原稿Ｄが複数枚重なって引き出されたとしても、複数枚重なった原稿Ｄが１枚ずつに分離される。
【００２０】
原稿搬送部１４は、原稿搬送路１０に沿って配置された複数の搬送ローラー対１４ａ〜１４ｅを含み、原稿搬送路１０に沿って原稿Ｄを搬送する。なお、搬送ローラー対１４ａ〜１４ｅは、この順番で原稿搬送路１０の上流側から配置されている。搬送ローラー対１４ａ〜１４ｅのうち給紙部１３に最も近い搬送ローラー対１４ａは、レジストローラー対１４ａである。レジストローラー対１４ａは、原稿Ｄの進行を一旦停止させ、原稿Ｄを撓ませて原稿Ｄの斜行を補正する。
【００２１】
これら給紙部１３および原稿搬送部１４を含む機構部は、外装カバーで覆われている。外装カバーの上側部分は開閉可能となっており、外装カバーの開閉可能な部分（以下、開閉カバーＣＶと称する）が開けられると、原稿搬送路１０が露出される。このため、ジャムが発生したときに開閉カバーＣＶを開けると、ジャム処理を容易に行える。なお、図２には図示しないが、原稿搬送ユニット１には、開閉カバーＣＶの開閉を検知するためのカバー開閉検知センサーＣＳ（図４参照）が設けられている。
【００２２】
また、原稿搬送ユニット１には、原稿搬送路１０の複数の検知位置ＤＰ１〜ＤＰ４において原稿Ｄの有無（到達および後端通過）を検知するための複数の原稿検知センサーＤＳ１〜ＤＳ４が設けられている。原稿検知センサーＤＳ１〜ＤＳ４は、たとえば、検知対象に向けて光を発光する発光部および検知対象からの反射光を受光する受光部を有する反射型の光センサーである。そして、原稿検知センサーＤＳ１〜ＤＳ４の各出力は、対応する検知位置ＤＰに原稿Ｄが有るときと無いときとで変動する。
【００２３】
画像読取部２は、ランプ２１、イメージセンサー２２、ミラー２３およびレンズ２４を含み、読取台２０上の原稿Ｄを光学的に読み取る。これら画像読取部２の各部材は、読取台２０を成すフレーム内に配置される。
【００２４】
ランプ２１は、複数のＬＥＤ素子を有し、原稿Ｄに照射する光を生成する。複数のＬＥＤ素子は、図示しないが、読取ライン方向である主走査方向（図２の紙面に対して垂直な方向）にライン状に配列されている。なお、冷陰極管などをランプ２１として用いてもよい。そして、ランプ２１は、コンタクトガラス２０ａ上を通過する原稿Ｄを読み取るときには、コンタクトガラス２０ａに向けて光を照射する（コンタクトガラス２０ａを透過した光が原稿Ｄを照射する）。一方で、ランプ２１は、コンタクトガラス２０ｂ上に載置された原稿Ｄを読み取るときには、コンタクトガラス２０ｂに向けて光を照射する（コンタクトガラス２０ｂを透過した光が原稿Ｄを照射する）。原稿Ｄで反射された反射光は、ミラー２３で反射され、レンズ２４に導かれる。レンズ２４は、反射光を集光する。
【００２５】
イメージセンサー２２は、原稿Ｄで反射された反射光（レンズ２４で集光された光）を受光することにより原稿Ｄをライン単位で読み取る。このイメージセンサー２２は、主走査方向にライン状に並ぶ複数の光電変換素子を有するＣＣＤからなり、反射光を受光すると、ライン単位で画素毎に光電変換して電荷を蓄積する。そして、イメージセンサー２２は、蓄積電荷に応じたアナログ信号を出力する。すなわち、イメージセンサー２２の画素毎のアナログ出力は、反射光の光量に応じて変動する。
【００２６】
ランプ２１およびミラー２３は、主走査方向と直交する副走査方向に移動可能な保持部材２６によって保持される。保持部材２６は、ワイヤー２７の一端と連結される。ワイヤー２７の他端は、回転することでワイヤー２７を巻き取る巻取ドラム２８に連結される。これにより、巻取ドラム２８が回転することによって保持部材２６が副走査方向に移動し、ランプ２１およびミラー２３が保持部材２６と共に副走査方向に移動する。なお、保持部材２６には複数本のワイヤー２７が連結されており、複数本のワイヤー２７が架けまわされる。ただし、図２では、便宜上、ワイヤー２７を１本のみ図示している。
【００２７】
搬送読取時には、保持部材２６がコンタクトガラス２０ａの下方に移動して静止する。その後、原稿搬送ユニット１がコンタクトガラス２０ａ上に原稿Ｄを搬送する。このとき、コンタクトガラス２０ａ上を通過する原稿Ｄに対してランプ２１が光を照射し、原稿Ｄで反射された反射光の光電変換をイメージセンサー２２が連続して繰り返し行う。これにより、原稿Ｄの一方面（原稿セットトレイ１１への原稿Ｄのセット時に上方に向けられた面）の読み取りがライン単位で行われる。
【００２８】
一方で、載置読取時には、保持部材２６が副走査方向（正面から見て左から右に向かう方向）に移動する。そして、保持部材２６が副走査方向に移動している最中に、コンタクトガラス２０ｂ上に載置された原稿Ｄに対してランプ２１が光を照射し、原稿Ｄで反射された反射光の光電変換をイメージセンサー２２が連続して繰り返し行う。これにより、原稿Ｄのコンタクトガラス２０ｂと対向する面の読み取りがライン単位で行われる。
【００２９】
また、読取台２０には、原稿搬送ユニット１の読取台２０に対する開閉を検知するためのユニット開閉検知センサーＵＳが設けられている。ユニット開閉検知センサーＵＳは、たとえば、発光部、受光部、および、発光部と受光部との間を上下方向に移動するとともに読取台２０上の領域（原稿搬送ユニット１側の領域）に向かって突出するアクチュエーターを有する光センサーである。また、ユニット開閉検知センサーＵＳは、原稿搬送ユニット１を開閉可能に支持するヒンジ（図示せず）の近傍に配置される。ユニット開閉検知センサーＵＳのアクチュエーターは、原稿搬送ユニット１の傾きが所定角度よりも小さくなると、原稿搬送ユニット１により押圧されて下方に移動し、発光部と受光部との間の光路を遮断（または、開放）する。一方で、ユニット開閉検知センサーＵＳのアクチュエーターは、原稿搬送ユニット１の傾きが所定角度よりも大きくなると、原稿搬送ユニット１による押圧が解除されることで上方に移動し、発光部と受光部との間の光路を開放（または、遮断）する。
【００３０】
なお、原稿搬送ユニット１には、原稿Ｄの一方面とは反対側の他方面（原稿セットトレイ１１への原稿Ｄのセット時に下方に向けられた面）を読み取るためのＣＩＳユニット１５が設けられている。ＣＩＳユニット１５は、原稿搬送路１０に沿った所定箇所に配置される。これにより、原稿Ｄの両面の読み取りを同時に行うことができるようになる。
【００３１】
図１に戻って、印刷部３は、給紙部４、用紙搬送部５、画像形成部６および定着部７によって構成される。そして、印刷部３は、用紙搬送路３０に沿って用紙Ｐを搬送し、画像読取部２による読み取りによって得られた画像データに基づく画像を用紙Ｐに印刷して出力する（コピージョブ）。
【００３２】
給紙部４は、用紙カセット４１に収容された用紙Ｐを用紙搬送路３０に供給する。この給紙部４は、ピックアップローラー４２および給紙ローラー対４３を含む。ピックアップローラー４２は、用紙カセット４１に収容された用紙Ｐを給紙ローラー対４３の給紙ニップに送り、給紙ローラー対４３は、給紙ニップに進入した用紙Ｐを用紙搬送路３０に供給する。
【００３３】
用紙搬送部５は、用紙搬送路３０に供給された用紙Ｐを転写ニップおよび定着ニップの順番で搬送し、排出トレイ５１に排出する。この用紙搬送部５は、用紙搬送路３０に沿って用紙Ｐを搬送するための搬送ローラー対５２を複数含む。複数の搬送ローラー対５２のうち１つの搬送ローラー対５２は、レジストローラー対５３である。レジストローラー対５３は、用紙Ｐを転写ニップの手前で待機させ、タイミングを合わせて用紙Ｐを転写ニップに送り出す。
【００３４】
画像形成部６は、画像データに基づきトナー像を形成し、そのトナー像を用紙Ｐに転写する。この画像形成部６は、感光体ドラム６１、帯電装置６２、露光装置６３、現像装置６４、転写ローラー６５およびクリーニング装置６６を含む。
【００３５】
画像形成時には、感光体ドラム６１が回転し、その感光体ドラム６１の表面を帯電装置６２が所定電位に帯電させる。また、露光装置６３は、感光体ドラム６１の表面を走査露光し、感光体ドラム６１の表面に静電潜像を形成する。現像装置６４は、感光体ドラム６１の表面に形成された静電潜像にトナーを供給して現像する。
【００３６】
転写ローラー６５は、感光体ドラム６１の表面に圧接し、感光体ドラム６１との間で転写ニップを形成する。その状態で、レジストローラー対５３がタイミングを計り、転写ニップに用紙Ｐを進入させる。これによって、感光体ドラム６１の表面のトナー像が用紙Ｐに転写される。クリーニング装置６６は、用紙Ｐへのトナー像の転写が終わると、感光体ドラム６１の表面に残留するトナーなどを除去する。
【００３７】
定着部７は、用紙Ｐに転写されたトナー像を加熱および加圧して定着させる。定着部７は、加熱ローラー７１および加圧ローラー７２を含む。加熱ローラー７１は、発熱源を内蔵する。加圧ローラー７２は、加熱ローラー７１に圧接し、加熱ローラー７１との間で定着ニップを形成する。そして、トナー像が転写された用紙Ｐは、定着ニップを通過することにより、加熱および加圧される。
【００３８】
また、印刷部３には、用紙搬送路３０の複数の検知位置において用紙Ｐの有無（到達および後端通過）を検知するための複数の用紙検知センサーが設けられている。これら複数の用紙検知センサーは、たとえば、検知対象に向けて光を発光する発光部および検知対象からの反射光を受光する受光部を有する反射型の光センサーである。そして、複数の用紙検知センサーの各出力は、対応する検知位置に用紙Ｐが有るときと無いときとで変動する。なお、複数の用紙検知センサーのうち所定の用紙検知センサーＤＳ１０の検知位置ＤＰ１０は、定着ニップよりも用紙搬送方向下流側の位置（排出トレイ５１に至る直前の位置）とされている。図１には、図面の簡略化のため、複数の用紙検知センサーのうち所定の用紙検知センサーＤＳ１０のみを図示している。
【００３９】
操作パネル８は、タッチパネル付きの液晶表示部８１を含む。液晶表示部８１は、ユーザーから各種設定などを受け付けるためのソフトキーやメッセージなどを表示する。さらに、操作パネル８には、テンキー８２やスタートキー８３などのハードキーも設けられている。
【００４０】
ここで、画像形成装置１００は、ケーブルＣＢを介して接続された課金装置９を備えており、画像形成装置１００でコピーを行う使用者に対して原稿Ｄのコピー料を課金する。たとえば、課金装置９は、コインベンダーであって、金銭投入口９１、金額表示部９２および金銭返却口９３を含む。なお、課金装置９がプリペイドカード方式であってもよい。
【００４１】
課金装置９は、金銭投入口９１に金銭が投入されると、投入額を金額表示部９２に表示する。そして、課金装置９は、コピージョブが実行されると、印刷部３が印刷を行う毎に原稿Ｄのコピー料を投入額から差し引き、差し引いた額を金額表示部９２に表示する（印刷部３が印刷を行う毎に金額表示部９２の表示金額が減っていく）。コピージョブが終了した後、課金装置９は、金銭返却口９３から残金を返却する。
【００４２】
（画像形成装置のハードウェア構成）
図３に示すように、画像形成装置１００は、装置全体の制御や印刷部３の印刷動作の制御を行う主制御部１１０を備える。主制御部１１０は、メインＣＰＵ１１１、画像処理部１１２、計時部１１３および記憶部１１４を含む。画像処理部１１２は、画像処理専用のＡＳＩＣなどからなり、画像データに対して画像処理（拡大／縮小、濃度変換およびデータ形式変換など）を施す。計時部１１３は、ＲＴＣ（ｒｅａｌ−ｔｉｍｅ  ｃｌｏｃｋ）であり、時間を計時する。記憶部１１４は、ＲＯＭおよびＲＡＭなどからなり、制御用のプログラムおよびデータを記憶する。
【００４３】
この主制御部１１０には、用紙検知センサーＤＳ１０を含む複数の用紙検知センサーが接続される。そして、主制御部１１０は、複数の用紙検知センサーの各出力に基づき、用紙搬送路３０の検知位置ＤＰ１０を含む複数の検知位置において用紙Ｐの有無（到達および後端通過）を検知し、用紙搬送路３０において用紙搬送エラーが発生したか否かを判断したり、用紙Ｐの搬送タイミングを計ったりする。
【００４４】
また、主制御部１１０には、スキャン制御部２１０が接続される。スキャン制御部２１０は、図４に示すように、ＣＰＵ２１１および記憶部２１２を含む。そして、スキャン制御部２１０は、主制御部１１０から指示を受け、原稿搬送ユニット１の原稿搬送動作および画像読取部２の画像読取動作を制御する。なお、スキャン制御部２１０は、本発明の「エラー発生検知部」に相当する。
【００４５】
具体的には、スキャン制御部２１０は、給紙部１３や原稿搬送部１４の各ローラーを回転させるための搬送モーターＭ１と接続され、給紙部１３や原稿搬送部１４の各ローラーを適切に回転させる。また、スキャン制御部２１０は、巻取ドラム２８を回転させるための巻取モーターＭ２と接続され、巻取ドラム２８を適切に回転させる。すなわち、スキャン制御部２１０は、保持部材２６を副走査方向に移動させ、ランプ２１の照射位置を制御する。
【００４６】
また、スキャン制御部２１０は、ランプ２１およびイメージセンサー２２と接続され、ランプ２１およびイメージセンサー２２の各動作を制御する。さらに、スキャン制御部２１０は、イメージセンサー２２のアナログ出力を処理するため、アナログ処理部２２１、補正部２２２および画像メモリー２２３と接続される。アナログ処理部２２１は、増幅回路やＡ／Ｄ変換回路などを含む。そして、アナログ処理部２２１は、イメージセンサー２２のアナログ出力を増幅し、デジタルの画像データに変換して出力する。補正部２２２は、シェーディング補正などの補正を行う。画像メモリー２２３は、画像データを蓄積し、主制御部１１０（画像処理部１１２）に転送する。
【００４７】
画像データを受けた主制御部１１０（画像処理部１１２）は、画像データに対して画像処理を施し、露光用の画像データ（露光装置６３の発光素子を点消灯させるためのデータ）を生成する。そして、主制御部１１０は、露光用の画像データを印刷部３に出力する。
【００４８】
また、スキャン制御部２１０は、原稿検知センサーＤＳ１〜ＤＳ４と接続され、原稿検知センサーＤＳ１〜ＤＳ４の各出力に基づき、原稿搬送路１０の検知位置ＤＰ１〜ＤＰ４において原稿Ｄの有無（到達および後端通過）を検知する。そして、スキャン制御部２１０は、原稿搬送路１０において原稿搬送エラー（ジャム）が発生したか否かを判断したり、原稿Ｄの搬送タイミングを計ったりする。
【００４９】
さらに、スキャン制御部２１０は、ユニット開閉検知センサーＵＳおよびカバー開閉検知センサーＣＳと接続される。そして、スキャン制御部２１０は、ユニット開閉検知センサーＵＳの出力に基づき原稿搬送ユニット１の開閉を検知し、カバー開閉検知センサーＣＳの出力に基づき開閉カバーＣＶの開閉を検知する。
【００５０】
図３に戻って、主制御部１１０は、操作パネル８と接続され、操作パネル８の表示動作を制御したり、操作パネル８に対して使用者が行った操作を検知したりする。たとえば、主制御部１１０は、課金装置９に金銭が投入されていなければ、金銭の投入を要求するメッセージを液晶表示部８１に表示させ、課金装置９に金銭が投入されると、コピージョブに関する設定画面を液晶表示部８１に表示させる（画像形成装置１００でのコピーが可能になる）。そして、主制御部１１０は、課金装置９に金銭が投入され、スタートキー８３が押下されると、その押下操作をコピージョブの実行指示として認識する。あるいは、主制御部１１０は、コピージョブに関する設定画面を液晶表示部８１に常時表示させ、課金装置９に金銭が投入されていない状態でスタートキー８３が押下されると、金銭の投入を要求するメッセージを液晶表示部８１に表示させる。
【００５１】
また、主制御部１１０は、Ｉ／Ｆ部１２０を介して、課金装置９と通信可能に接続される。そして、課金装置９は、金銭が投入されると、金銭が投入された旨の情報（金銭受領情報）を主制御部１１０に通知する。金銭受領情報の通知を受けた主制御部１１０は、スタートキー８３が押下されると、コピージョブを実行させる。
【００５２】
主制御部１１０は、コピージョブの実行時に印刷部３が１枚分の印刷を完了させると、その都度、１枚分の原稿Ｄのコピーが完了した旨の情報（コピー完了情報）を課金装置９に通知する。たとえば、主制御部１１０は、用紙検知センサーＤＳ１０の出力に基づき、検知位置ＤＰ１０を用紙Ｐの後端が通過したか否かを検知する。そして、主制御部１１０は、検知位置ＤＰ１０において用紙Ｐの後端通過を検知すると、印刷部３による１枚分の印刷が完了したと判断し、コピー完了情報を課金装置９に通知する。コピー完了情報の通知を受けた課金装置９は、１枚分の原稿Ｄのコピー料を課金する。
【００５３】
（コピージョブのジョブモード）
主制御部１１０は、第１モードおよび第２モードのうちいずれかのジョブモードをコピージョブの実行モードとして設定する。第１モードに設定された場合、印刷部３は、画像読取部２による原稿Ｄの読み取りと並行して、画像読取部２が読み取った原稿Ｄの画像を用紙Ｐに印刷する。第２モードに設定された場合、印刷部３は、画像読取部２により読み取られた原稿Ｄが原稿搬送路１０から排出された後、画像読取部２が読み取った原稿Ｄの画像の用紙Ｐへの印刷を開始する。以下に、コピージョブの実行時の動作について詳細に説明する。
【００５４】
まず、主制御部１１０は、課金装置９に金銭が投入され、操作パネル８がコピージョブの実行指示を受け付けると、スキャン制御部２１０にコピージョブ（原稿Ｄの読み取り）の実行を指示する。
【００５５】
スキャン制御部２１０は、主制御部１１０からコピージョブ（原稿Ｄの読み取り）の実行指示を受けると、給紙部１３に給紙動作を行わせ、原稿搬送部１４に搬送動作を行わせる。すなわち、給紙部１３は、原稿セットトレイ１１にセットされた原稿Ｄを原稿搬送路１０に供給する。また、原稿搬送部１４は、原稿搬送路１０に沿って原稿Ｄを搬送する。
【００５６】
原稿セットトレイ１１から原稿搬送路１０に供給された原稿Ｄが原稿搬送路１０に沿って搬送され、その原稿Ｄが検知位置ＤＰ３（図２参照）に到達すると、原稿検知センサーＤＳ３の出力レベルが変動する（原稿Ｄが有ることを示すレベルになる）ので、スキャン制御部２１０が検知位置ＤＰ３において原稿Ｄの到達を検知する。そして、スキャン制御部２１０は、原稿Ｄが読取位置ＲＰ（図２参照）に到達するタイミングで、画像読取部２による原稿Ｄの読み取りを開始させる。その後、スキャン制御部２１０は、原稿Ｄの後端が読取位置ＲＰを通過し切るタイミングで、画像読取部２による原稿Ｄの読み取りを終了させる。なお、画像読取部２による読取開始タイミングは、検知位置ＤＰ３と読取位置ＲＰとの間の距離および原稿搬送速度に基づき求めることができる（検知位置ＤＰ３で原稿Ｄの先端到達を検知した時点を基点として原稿Ｄの先端が読取位置ＲＰに到達するタイミングを計る）。また、画像読取部２による読取終了タイミングは、原稿Ｄの長さおよび原稿搬送速度に基づき求めることができる。あるいは、画像読取部２による読取終了タイミングは、検知位置ＤＰ３と読取位置ＲＰとの間の距離および原稿搬送速度に基づき求めることができる（検知位置ＤＰ３で原稿Ｄの後端通過を検知した時点を基点として原稿Ｄの後端が読取位置ＲＰを通過し切るタイミングを計る）。
【００５７】
画像読取部２による原稿Ｄの読み取りが開始された後、原稿Ｄが検知位置ＤＰ４（図２参照）に到達すると、原稿検知センサーＤＳ４の出力レベルが変動する（原稿Ｄが有ることを示すレベルになる）ので、スキャン制御部２１０が検知位置ＤＰ４において原稿Ｄの到達を検知する。続いて、原稿Ｄの後端が検知位置ＤＰ４を通過すると、原稿検知センサーＤＳ４の出力レベルが元に戻る（原稿Ｄが無いことを示すレベルになる）ので、スキャン制御部２１０が検知位置ＤＰ４において原稿Ｄの後端通過を検知する。スキャン制御部２１０は、検知位置ＤＰ４において原稿Ｄの後端通過を検知すると、原稿Ｄが原稿搬送路１０から排出された（原稿排出トレイ１２に排出された）と判断する。
【００５８】
ここで、第１モードでは、主制御部１１０は、画像読取部２が原稿Ｄの読み取りを行っている最中に、印刷部３による印刷を開始させる。これにより、画像読取部２による原稿Ｄの読み取りと並行して、画像読取部２により読み取られた原稿Ｄの画像が用紙Ｐに印刷される。一方で、第２モードでは、主制御部１１０は、原稿Ｄの後端が検知位置ＤＰ４を通過した後、すなわち、画像読取部２により読み取られた原稿Ｄが原稿搬送路１０から排出された後、印刷部３による印刷を開始させる。
【００５９】
印刷部３による印刷が開始された後、用紙Ｐが検知位置ＤＰ１０（図１参照）に到達すると、用紙検知センサーＤＳ１０の出力レベルが変動する（用紙Ｐが有ることを示すレベルになる）ので、主制御部１１０が検知位置ＤＰ１０において用紙Ｐの到達を検知する。続いて、用紙Ｐの後端が検知位置ＤＰ１０を通過すると、用紙検知センサーＤＳ１０の出力レベルが元に戻る（用紙Ｐが無いことを示すレベルになる）ので、主制御部１１０が検知位置ＤＰ１０において用紙Ｐの後端通過を検知する。そして、主制御部１１０は、検知位置ＤＰ１０において用紙Ｐの後端通過を検知すると、１枚分の印刷が完了したと判断する。
【００６０】
その後、主制御部１１０は、コピー完了情報を課金装置９に通知する。この通知を受けて、課金装置９は、１枚分の原稿Ｄのコピー料を課金する。
【００６１】
（原稿搬送エラーの発生検知）
スキャン制御部２１０は、コピージョブの実行時に検知位置ＤＰ１〜ＤＰ４（図２参照）において原稿Ｄの到達および後端通過を検知し、原稿搬送エラー（ジャム）が発生したか否かを判断する。たとえば、スキャン制御部２１０は、検知位置ＤＰ１〜ＤＰ４のうち或る検知位置（第１検知位置とする）において原稿Ｄの到達を検知してから計時を開始する。そして、スキャン制御部２１０は、第１検知位置において原稿Ｄの到達を検知してから所定時間が経過したときに、第１検知位置よりも原稿搬送方向下流側の検知位置（第２検知位置とする）において原稿Ｄの到達を検知できなければ、原稿搬送エラーが発生したと判断する。この場合の所定時間というのは、第１検知位置と第２検知位置との間を原稿Ｄが進行するのに要する予定時間であり、第１検知位置と第２検知位置との間の距離および原稿搬送速度に基づき予め算出することができる時間である。
【００６２】
あるいは、スキャン送制御部２１０は、検知位置ＤＰ１〜ＤＰ４のうち或る検知位置において原稿Ｄの到達を検知してから、所定時間が経過しても同じ検知位置において原稿Ｄの後端通過を検知できなければ、原稿搬送エラーが発生したと判断する。この場合の所定時間というのは、或る検知位置に原稿Ｄが到達してから同じ検知位置を原稿Ｄの後端が通過するのに要する予定時間であり、原稿Ｄの長さおよび原稿搬送速度に基づき予め算出することができる時間である。
【００６３】
また、スキャン制御部２１０は、コピージョブの実行時に、ユニット開閉検知センサーＵＳの出力に基づき原稿搬送ユニット１の開閉を検知する。そして、スキャン制御部２１０は、コピージョブの実行時に原稿搬送ユニット１が開状態になったことを検知したときにも、原稿搬送エラーが発生したと判断する。さらに、スキャン制御部２１０は、コピージョブの実行時に、カバー開閉センサーＣＳの出力に基づき開閉カバーＣＶの開閉を検知する。そして、スキャン制御部２１０は、コピージョブの実行時に開閉カバーＣＶが開状態になったことを検知したときにも、原稿搬送エラーが発生したと判断する。
【００６４】
スキャン制御部２１０は、コピージョブの実行時に原稿搬送エラーの発生を検知した場合、原稿搬送ユニット１の原稿搬送動作を停止させるとともに、画像読取部２の画像読取動作を停止させる。また、スキャン制御部２１０は、原稿搬送エラーの発生を主制御部１１０に通知する。
【００６５】
スキャン制御部２１０から原稿搬送エラーの発生通知を受けると、主制御部１１０は、操作パネル８に指示し、原稿搬送エラーが発生した旨を報知させる。たとえば、操作パネル８は、原稿搬送エラーが発生した旨のメッセージや、原稿Ｄの再セットを促す旨のメッセージなどを表示する。また、主制御部１１０は、原稿搬送エラーが発生したコピージョブを停止状態にする。
【００６６】
原稿搬送エラーが発生したコピージョブを停止状態にして以降、主制御部１１０は、原稿搬送エラーが発生したコピージョブをキャンセルするためのキャンセル操作が使用者によって行われたか否かを判断する。たとえば、コピージョブをキャンセルするためのキャンセルキー８４が操作パネル８に設けられ、主制御部１１０は、キャンセルキー８４の押下を検知するとキャンセル操作が行われたと判断する。そして、主制御部１１０は、操作パネル８に対してキャンセル操作が行われると、原稿搬送エラーが発生したコピージョブをキャンセルし、コピージョブの実行が可能な状態に戻す（コピージョブの実行指示の受け付けを操作パネル８に行わせる）。これにより、使用者は、コピージョブを再開することができる。
【００６７】
（コピージョブのモード設定）
主制御部１１０は、第１モードおよび第２モードのうち第１モードをデフォルトのモードとして設定する（通常では第１モードに設定されている）。その理由は、コピージョブの開始から終了までにかかる時間を短縮し、使用者の利便性を向上させるためである。
【００６８】
ただし、第１モードに設定されていれば、画像読取部２による原稿Ｄの読み取りが開始され、印刷部３による印刷が開始された後、原稿Ｄの後端が読取位置ＲＰ（図２参照）を通過し切る前に原稿搬送エラーが発生することがある。そして、このようなタイミングで原稿搬送エラーが発生すると、原稿Ｄのうち読取位置を通過した部分の画像だけが印刷された用紙Ｐ（原稿Ｄの画像が中途半端に印刷された用紙Ｐ）が出力されてしまう。このため、原稿搬送エラーの発生時に搬送されていた原稿Ｄのコピー料が課金されると、使用者に不利益をもたらす。
【００６９】
したがって、主制御部１１０は、コピージョブの実行時にスキャン制御部２１０から原稿搬送エラーの発生通知を受けると、用紙Ｐの後端が検知位置ＤＰ１０（図１参照）を通過しても、コピー完了情報を課金装置９に通知しない。すなわち、課金装置９は、原稿搬送エラーの発生時に搬送されていた原稿Ｄのコピー料については課金しない。
【００７０】
しかし、第１モードでのコピージョブの実行時に原稿搬送エラーが発生したときに、原稿Ｄの後端が読取位置ＲＰを既に通過していれば、原稿Ｄのコピー料は課金されないが、原稿Ｄの画像が正常に印刷された用紙Ｐが出力される。この点を利用し、使用者によっては、原稿Ｄの後端が読取位置ＲＰを通過したタイミングで意図的に原稿搬送エラーを生じさせ、原稿Ｄのコピー料の課金を免れようとする場合がある。そして、このような不正な課金逃れは、連続して繰り返し行われる可能性がある。したがって、画像形成装置１００の設置者（原稿Ｄのコピー料を徴収する者）にとっては都合が悪い。
【００７１】
そこで、本実施形態では、第１モードでのコピージョブの実行時に原稿搬送エラーが発生した場合、その原稿搬送エラーが使用者によって意図的に生じさせ得るエラーであれば、次に開始するコピージョブからはジョブモードを第２モードに設定変更して実行する。なお、第２モードでは、印刷部３は、画像読取部２により読み取られた原稿Ｄが原稿搬送路１０から排出された後、画像読取部２が読み取った原稿Ｄの画像の用紙Ｐへの印刷を開始する。したがって、第２モードでのコピージョブの実行時に原稿搬送エラーが発生しても、原稿搬送エラーの発生時に搬送されていた原稿Ｄの画像の用紙Ｐへの印刷は開始されていないので、課金逃れを行うことはできない。以下に、コピージョブのモード変更動作について詳細に説明する。
【００７２】
まず、スキャン制御部１１０は、第１モードでのコピージョブの実行時に、原稿搬送エラーが発生したか否かを検知する。そして、スキャン制御部１１０は、原稿搬送エラーの発生を検知したとき、その原稿搬送エラーが使用者により意図的に生じさせ得るものとして予め定められた特定エラーであるか否かを判断する。
【００７３】
ここで、原稿搬送ユニット１や開閉カバーＣＶの閉状態から開状態への変化を原稿搬送エラーの発生として検知する構成では、原稿Ｄの後端が読取位置ＲＰを通過したタイミングで意図的に原稿搬送エラーを生じさせ易い（原稿Ｄの後端が読取位置ＲＰを通過したタイミングで原稿搬送ユニット１や開閉カバーＣＶを開けるだけでよい）。すなわち、不正使用者は、原稿搬送ユニット１や開閉カバーＣＶを開けることで原稿搬送エラーを意図的に生じさせる可能性が高い。このため、スキャン制御部２１０は、原稿搬送エラーが原稿搬送ユニット１や開閉カバーＣＶの閉状態から開状態への変化に起因するものであれば、原稿搬送エラーが特定エラー（使用者によって意図的に生じさせ得るエラー）であると判断する。
【００７４】
スキャン制御部２１０は、原稿搬送エラーが特定エラーであると判断すると、原稿搬送エラーが特定エラーであった旨を主制御部１１０に通知する。この通知を受けた主制御部１１０は、次に開始するコピージョブからは第２モードで実行するようジョブモードを設定変更する。すなわち、印刷部３は、第１モードでのコピージョブの実行時に発生した原稿搬送エラーが特定エラーであるとスキャン制御部２１０が判断した場合、スキャン制御部２１０が原稿搬送エラーの発生を検知して以降に開始するコピージョブを第２モードで実行することになる。
【００７５】
以下に、図５に示すフローチャートを参照して、第１モードでのコピージョブの実行時に原稿搬送エラーが発生したときの制御の流れについて説明する。なお、図５のフローチャートのスタートは、第１モードでのコピージョブの実行時に、スキャン制御部２１０が原稿搬送エラーの発生を検知したときである。
【００７６】
ステップＳ１において、スキャン制御部２１０は、原稿搬送ユニット１の原稿搬送動作を停止させる。そして、ステップＳ２において、スキャン制御部２１０は、原稿搬送エラーが使用者により意図的に生じさせ得るものとして予め定められた特定エラーであるか否かを判断する。すなわち、スキャン制御部２１０は、原稿搬送エラーが原稿搬送ユニット１や開閉カバーＣＶの閉状態から開状態への変化に起因するものであるか否かを判断する。その結果、原稿搬送エラーが特定エラーであれば、ステップＳ３に移行し、原稿搬送エラーが特定エラーでなければ、ステップＳ４に移行する。
【００７７】
ステップＳ３に移行した場合、スキャン制御部２１０は、原稿搬送エラーが特定エラーである旨を主制御部１１０に通知する。この通知を受けた主制御部１１０は、次に開始するコピージョブからは第２モードで実行するようジョブモードを設定変更する。
【００７８】
一方で、ステップＳ４に移行した場合、スキャン制御部２１０は、原稿搬送エラーが特定エラーではない旨を主制御部１１０に通知する。この通知を受けた主制御部１１０は、次に開始するコピージョブも第１モードで実行するようジョブモードの設定を維持する。
【００７９】
（ジョブモードの復帰）
コピージョブのジョブモードが第２モードに設定されていれば、課金逃れを防ぐことができる。しかし、コピージョブのジョブモードが第２モードに維持されていると、コピージョブの開始から終了までにかかる時間が長くなるので、課金逃れを意図していない使用者の利便性を損なってしまう。そこで、主制御部１１０は、コピージョブのジョブモードを第１モードから第２モードに設定変更した後、予め定められた復帰条件が満たされたとき、以降に開始するコピージョブからは第１モードで実行するようジョブモードの設定を変更する。
【００８０】
たとえば、コピージョブのジョブモードを第１モードから第２モードに設定変更してもコピージョブが行われていれば、特定エラーを生じさせた使用者が不正使用者ではなかった、あるいは、不正使用者が特定エラーを生じさせたがその不正使用者は画像形成装置１００から既に立ち去っている、と考えられる。すなわち、第２モードでのコピージョブの実行時に印刷された印刷枚数が数枚〜数十枚に達していれば、コピージョブのジョブモードを第１モードに戻しても、課金逃れが行われる可能性は低い。
【００８１】
そこで、主制御部１１０は、コピージョブのジョブモードを第１モードから第２モードに設定変更して以降、第２モードでのコピージョブの実行時に印刷された印刷枚数を検知する。この構成においては、主制御部１１０が本発明の「印刷枚数検知部」に相当する。たとえば、主制御部１１０は、検知位置ＤＰ１０（図１参照）において用紙Ｐの後端通過を検知し、その検知回数を印刷枚数として記憶部１１４に記憶させる。そして、主制御部１１０は、第２モードでのコピージョブの実行時の印刷枚数に基づき、コピージョブのジョブモードを第１モードに復帰させるか否かを判断する。以下に、図６に示すフローチャートに沿って説明する。なお、図６のフローチャートは、原稿搬送エラー（特定エラー）が発生したとき、すなわち、コピージョブのジョブモードを第１モードから第２モードに設定変更したときにスタートする。
【００８２】
ステップＳ１１において、主制御部１１０は、第２モードでのコピージョブの実行時に印刷された印刷枚数をカウントする。そして、ステップＳ１２において、主制御部１１０は、第２モードでのコピージョブの実行時に印刷された印刷枚数が予め定められた所定枚数（数枚〜数十枚）に到達したか否かを判断する。その結果、印刷枚数が所定枚数に到達していれば、ステップＳ１３に移行し、主制御部１１０は、復帰条件が満たされたものとしてコピージョブのジョブモードを第１モードに復帰させる。一方で、印刷枚数が所定枚数に到達していなければ、ステップＳ１１に戻る。すなわち、印刷部３は、主制御部１１０が検知した第２モードでのコピージョブの実行時の印刷枚数が所定枚数に到達するまでは第２モードでコピージョブを実行し、所定枚数に到達した後に開始するコピージョブからは第１モードで実行する。
【００８３】
また、仮に特定エラーを生じさせた使用者が不正使用者であっても、コピージョブのジョブモードを第１モードから第２モードに設定変更すれば、課金逃れを行えないので、不正使用者が何時までも画像形成装置１００を使用し続けることはないと考えられる。すなわち、コピージョブのジョブモードを第１モードから第２モードに設定変更した後、ある程度の時間が経過すれば、コピージョブのジョブモードを第１モードに戻しても、課金逃れが行われる可能性は低い。
【００８４】
そこで、主制御部１１０は、第１モードでのコピージョブの実行時に発生した原稿搬送エラーが特定エラーであるとスキャン制御部２１０が判断したとき、原稿搬送エラー（特定エラー）の発生検知時点からの経過時間を計時部１１３に計時させる。そして、主制御部１１０は、原稿搬送エラー（特定エラー）の発生検知時点からの経過時間に基づき、コピージョブのジョブモードを第１モードに復帰させるか否かを判断する。以下に、図７に示すフローチャートに沿って説明する。なお、図７のフローチャートは、原稿搬送エラー（特定エラー）が発生したとき、すなわち、コピージョブのジョブモードを第１モードから第２モードに設定変更したときにスタートする。
【００８５】
ステップＳ２１において、主制御部１１０は、原稿搬送エラー（特定エラー）の発生検知時点からの経過時間を計時部１１３に計時させる。そして、ステップＳ２２において、主制御部１１０は、原稿搬送エラー（特定エラー）の発生検知時点からの経過時間が予め定められた所定時間（数十分〜１時間）に到達したか否かを判断する。その結果、経過時間が所定時間に到達していれば、ステップＳ２３に移行し、主制御部１１０は、復帰条件が満たされたものとしてコピージョブのジョブモードを第１モードに復帰させる。一方で、経過時間が所定時間に到達していなければ、ステップＳ２１に戻る。すなわち、印刷部３は、計時部１１３により計時された原稿搬送エラー（特定エラー）の発生検知時点からの経過時間が所定時間に到達するまでは第２モードでコピージョブを実行し、所定時間に到達した後に開始するコピージョブからは第１モードで実行する。
【００８６】
なお、画像形成装置１００には、たとえば、使用者認証機能（ログイン機能）が搭載される。使用者認証機能を搭載する画像形成装置１００では、使用者の認証を行うための認証情報が予め登録され、記憶部１１４に記憶される。そして、認証を受ける使用者は、まず、操作パネル８を操作し、自身の認証情報（たとえば、ユーザー名やパスワード）を入力する。
【００８７】
主制御部１１０は、使用者が認証情報を入力すると、その使用者が入力した認証情報と予め登録された認証情報とを比較し、認証情報を入力した使用者が認証可能か否かを判断する。そして、主制御部１１０は、認証情報を入力した使用者が認証可能と判断すれば、認証情報を入力した使用者に画像形成装置１００の使用許可を与える。この構成においては、主制御部１１０が本発明の「認証部」に相当する。
【００８８】
ここで、画像形成装置１００にログインした使用者が不正使用者であっても、その使用者（不正使用者）が画像形成装置１００からログアウトした後に別の使用者が画像形成装置１００にログインすれば、現在の使用者が従前の使用者（不正使用者）と異なっていることは明らかである。このため、使用者認証機能を画像形成装置１００に搭載する場合には、図８に示すフローチャートに沿って、コピージョブのジョブモードを第１モードに復帰させるか否かを判断してもよい。なお、図８のフローチャートは、原稿搬送エラー（特定エラー）が発生し、コピージョブのジョブモードを第１モードから第２モードに設定変更した後、認証を受けた使用者に画像形成装置１００の使用許可を与えたときにスタートする。
【００８９】
ステップＳ３１において、主制御部１１０は、画像形成装置１００の使用許可を与えた使用者（画像形成装置１００にログインした使用者）が代わったか否かを判断する。その結果、使用者が代わっていれば、ステップＳ３２に移行し、使用者が代わっていなければ、ステップＳ３３に移行する。ステップＳ３２に移行すると、主制御部１１０は、復帰条件が満たされたものとしてコピージョブのジョブモードを第１モードに復帰させる。一方で、ステップＳ３３に移行すると、主制御部１１０は、コピージョブのジョブモードを第２モードのまま維持する。すなわち、印刷部３は、画像形成装置１００の使用許可が与えられた使用者が代わると、第１モードでコピージョブを実行する。これにより、従前の使用者が不正使用者であったためにコピージョブのジョブモードが第１モードから第２モードに設定変更されたとしても、次の使用者の使用時にはコピージョブのジョブモードが第１モードに復帰しているので、次の使用者はコピージョブを速やかに終わらせることができる。
【００９０】
なお、ステップＳ３１からステップＳ３３に移行し、コピージョブのジョブモードを第２モードのまま維持する場合、第２モードでのコピージョブの実行時の印刷枚数が予め定められた印刷枚数に達した後、コピージョブのジョブモードを第１モードに復帰させてもよい（図６に示した制御を行ってもよい）。あるいは、原稿搬送エラーの発生検知時点からの経過時間が予め定められた所定時間に到達した後、コピージョブのジョブモードを第１モードに復帰させてもよい（図７に示した制御を行ってもよい）。
【００９１】
ところで、不正使用者は、課金逃れを繰り返し行う場合がある。したがって、課金逃れを図る不正使用者が画像形成装置１００を使用すると、コピージョブの実行時に発生する特定エラーの発生頻度が高くなる。
【００９２】
そこで、主制御部１１０は、コピージョブの実行時に発生した特定エラーの発生頻度を含む使用履歴データを使用者毎に記憶する。そして、主制御部１１０は、認証した使用者に対応する使用履歴データで示される特定エラーの発生頻度が所定値以上である場合、認証した使用者が課金逃れを行えないように、コピージョブのジョブモードを第２モードに設定変更する（印刷部３が第２モードでコピージョブを実行する）。
【００９３】
たとえば、主制御部１１０は、特定エラーの発生率（たとえば、原稿搬送枚数に対する特定エラーの発生回数の割合）を特定エラーの発生頻度を示す値として記憶する。そして、主制御部１１０は、特定エラーの発生率が所定発生率以上であれば、特定エラーの発生頻度が所定値以上であると判断し、コピージョブのジョブモードを第２モードに設定変更する。
【００９４】
あるいは、主制御部１１０は、特定エラーが発生して以降に特定エラーが発生することなく搬送された原稿枚数を特定エラーの発生頻度を示す値として記憶する。そして、主制御部１１０は、特定エラーが発生して以降に特定エラーが発生することなく搬送された原稿枚数が所定枚数以下であれば、特定エラーの発生頻度が所定値以上であると判断し、コピージョブのジョブモードを第２モードに設定変更する。この場合、特定エラーが発生して以降に特定エラーが発生することなく搬送された原稿枚数が所定枚数を超えれば、コピージョブのジョブモードを第１モードに復帰させてもよい。
【００９５】
本実施形態の画像形成装置１００は、上記のように、原稿Ｄを搬送し、搬送中の原稿Ｄを読み取り、読み取った原稿Ｄの画像を用紙Ｐに印刷するコピージョブの実行が可能な課金式の画像形成装置であって、読取台２０と、読取台２０上を経由する原稿搬送路１０を有し、原稿搬送路１０に沿って原稿Ｄを搬送する原稿搬送ユニット１と、読取台２０上の原稿Ｄを読み取る画像読取部２と、画像読取部２による原稿Ｄの読み取りと並行して画像読取部２が読み取った原稿Ｄの画像を用紙Ｐに印刷する第１モード、および、画像読取部２により読み取られた原稿Ｄが原稿搬送路１０から排出された後に画像読取部２が読み取った原稿Ｄの画像の用紙Ｐへの印刷を開始する第２モード、のうちいずれかのモードでコピージョブを実行する印刷部３と、原稿搬送ユニット１が原稿Ｄを搬送しているときに原稿搬送エラーが発生したか否かを検知し、原稿搬送エラーの発生を検知すると、原稿搬送ユニット１による原稿Ｄの搬送を停止させるスキャン制御部２１０と、印刷部３が印刷を行う毎に原稿Ｄのコピー料を課金し、スキャン制御部２１０が原稿搬送エラーの発生を検知すると、原稿搬送エラーの発生検知時に搬送されていた原稿Ｄのコピー料については課金しない課金装置９と、を備える。そして、スキャン制御部２１０は、第１モードでのコピージョブの実行時に搬送エラーの発生を検知したとき、その原稿搬送エラーが使用者により意図的に生じさせ得るものとして予め定められた特定エラーであるか否かを判断し、印刷部３は、原稿搬送エラーが特定エラーであるとスキャン制御部２１０が判断した場合、スキャン制御部２１０が原稿搬送エラーの発生を検知して以降に開始するコピージョブを第２モードで実行する。
【００９６】
コピージョブのジョブモードが第１モードである場合、画像読取部２による原稿Ｄの読み取りと並行して、画像読取部２が読み取った原稿Ｄの画像が用紙Ｐに印刷される。このため、画像読取部２による原稿Ｄの読み取りが終わったタイミングで原稿搬送エラーが発生すると、原稿Ｄの画像の用紙Ｐへの印刷が正常に行われるにもかかわらず、原稿Ｄのコピー料は課金されない。したがって、第１モードでのコピージョブの実行時に発生した原稿搬送エラーが特定エラー（使用者によって意図的に生じさせ得るものとして予め定められたエラー）であると、その原稿搬送エラーが課金逃れを図る不正使用者によって意図的に発生されられた可能性がある。
【００９７】
一方で、コピージョブのジョブモードが第２モードである場合には、画像読取部２により読み取られた原稿Ｄが原稿搬送路１０から排出された後、画像読取部２が読み取った原稿Ｄの画像の用紙Ｐへの印刷が開始される。この第２モードでは第１モードに比べて、コピージョブの開始から終了までにかかる時間が長くなってしまう。しかし、課金逃れを図る不正使用者によって原稿搬送エラーが意図的に発生させられたとしても、原稿搬送エラーの発生時に搬送されていた原稿Ｄの画像の用紙Ｐへの印刷は開始していないので、課金逃れを防げる。
【００９８】
そこで、本実施形態では、第１モードでのコピージョブの実行時に原稿搬送エラーが発生した場合、その原稿搬送エラーが特定エラー（使用者により意図的に生じさせ得るものとして予め定められたエラー）であれば、以降に開始するコピージョブを第２モードで実行する。これにより、課金逃れが連続して繰り返し行われるのを防ぐことができる。
【００９９】
また、本実施形態では、上記のように、コピージョブのジョブモードを第１モードから第２モードに設定変更した後、予め定められた復帰条件（コピージョブのジョブモードを第１モードに復帰させる条件）が満たされると、コピージョブのジョブモードを第１モードに復帰させる。これにより、課金逃れを意図していない使用者の利便性が損なわれるのを抑制することができる。たとえば、第２モードでのコピージョブの実行時に印刷された印刷枚数が予め定められた所定枚数に到達した場合や、原稿搬送エラー（特定エラー）の発生検知時点からの経過時間が予め定められた所定時間に到達した場合に、コピージョブのジョブモードを第１モードに復帰させる。あるいは、使用者認証機能を搭載する画像形成装置１００では、認証された使用者が代わると、コピージョブのジョブモードを第１モードに復帰させる。
【０１００】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０１】
１  原稿搬送ユニット
２  画像読取部
３  印刷部
９  課金装置
１０  原稿搬送路
２０  読取台
１１０  主制御部（印刷枚数検知部、認証部）
１１３  計時部
２１０  スキャン制御部（エラー発生検知部）
ＣＶ  開閉カバー
Ｄ  原稿
Ｐ  用紙
【図１】
0005963369.tif 000002
【図２】
0005963369.tif 000003
【図３】
0005963369.tif 000004
【図４】
0005963369.tif 000005
【図５】
0005963369.tif 000006
【図６】
0005963369.tif 000007
【図７】
0005963369.tif 000008
【図８】
0005963369.tif 000009